(57)【特許請求の範囲】
【請求項１】
略箱状をした郵便受け本体の背面に取出し用開口を設け、該取出し用開口に一端部を枢支して回動開閉自在とする蓋板部を取付け、該蓋板部外面の他端部側に略コ字状をした棒状の把手の両端部を取付け、蓋板部の閉状態で把手近傍に位置する郵便受け本体に南京錠の略Ｕ字状の挿通金具が挿通される錠挿通孔を穿設した錠固定部材を取付け、郵便受け本体に取付けた錠固定部材の錠挿通孔及び把手と蓋板部との間に形成される手挿入れ部に南京錠の挿通金具を挿通施錠してなる郵便受けの南京錠の取付構造であって、前記錠固定部材を、取出し用開口縁に嵌入して郵便受け本体に取付ける取付部と、該取付部より外方に向けて連設されて蓋板部の閉状態で該蓋板部の下端部を弾性係止する上方に向けて開口した係止部とで構成し、前記係止部に錠挿通孔を穿孔すると共に、取付部に該錠固定部材を郵便受け本体に取付けるためのネジ等の固着具が挿通される固着孔を穿孔し、蓋板部の閉状態で略コ字状をした把手の両方の連設部の蓋板部外面への取付け端部近傍に位置する郵便受け本体に上記固着具が挿通される固着具挿通孔をそれぞれ穿孔し、いずれかの固着具挿通孔に錠固定部材の固着孔を連通させ、この連通させた固着具挿通孔と固着孔とに上記固着具を挿通して錠固定部材を郵便受け本体に取付けて成ることを特徴とする郵便受けの南京錠の取付構造。
【発明の詳細な説明】
【０００１】
【発明の属する技術分野】
この発明は、郵便受けの取出し用開口に設けた蓋板部を固定して開かないようにするための郵便受けの南京錠の取付構造に関するものである。
【０００２】
【従来の技術】
従来から、新聞や郵便物等の配達物が投入される郵便受けには、郵便受けの本体に開口を設けてこの開口より配達物を出し入れするものが用いられている。郵便受けの本体に開口を一つ設けてこの開口より配達物を出し入れするもの、あるいは、郵便受け本体に開口を二つ設け、一方の開口より配達物を投入すると共に他方の開口より配達物を取出すようにしたもの等がある。
【０００３】
後者の郵便受けとしては、略箱状をした本体の前面に略矩形状をした投入用開口を設けると共に、本体の背面に略矩形状をした取出し用開口を設け、配達人が前面側の投入用開口より配達物を本体に投入し、使用者が背面側の取出し用開口より本体に投入された配達物を取出すものが用いられる。
【０００４】
ところで、このような郵便受けには、本体内に投入された配達物が取出し用開口より本体外に出ないように、取出し用開口に蓋板を設けるものであった。これは、取出し用開口に略矩形状をした蓋板の上辺を枢支して、回動自在な蓋板で取出し用開口を開閉自在に覆うものである。そして更に、このような蓋板を取付けた郵便受けに、蓋板が使用者以外の者に勝手に開かれたりすることのないように錠を取付けることがあった。
【０００５】
これは、図８に示すように、略箱状をした郵便受け本体１の背面に略矩形状をした取出し用開口３を設け、取出し用開口３の上縁に略矩形状をした蓋板４’の上辺を枢支して、蓋板４’の下辺を回動して取出し用開口３を開閉自在に覆うものにおいて、蓋板４’を閉じた状態において蓋板４’の下辺と取出し用開口３とを南京錠７で固定して施錠するものである。南京錠７で施錠するにあたっては、蓋板４’の回動側に取付けた把手５に南京錠７固定用のアーム８４’を取付ける。アーム８４’には、一側端部に蓋板４’の把手５が挿通される把手挿通口８４ａ’を穿設し、他側端部に南京錠７の略Ｕ字状をした挿通金具７１が挿通される金具挿通口８４ｂ’が穿設され、把手５には上記把手挿通口８４ａ’に把手５を挿通して回動自在に取付けられる。そして、蓋板４’の閉状態において、このアーム８４’の金具挿通口８４ｂ’近傍の郵便受け本体１に錠固定部材６’を取付け、蓋板４’の閉状態において錠固定部材６’の錠挿通口６３’及びアーム８４’の金具挿通口８４ｂ’とに南京錠７の略Ｕ字状をした挿通金具７１を挿通し、蓋板４’と取出し用開口３とを固定して施錠するものであった。
【０００６】
ところが、把手５にアーム８４’を取付けるには、まず蓋板４’より把手５を取外してアーム８４’の金具挿通口８４ｂ’に挿通し、その後アーム８４’を取付けた把手５を蓋板４’に取付けるものであるため、この取外し，取付け作業が煩わしいものであった。なお、図中の６４’は錠取付金具を示し、８５’はワッシャを示し、８６’はビスを示し、８７’は補強板を示し、Ｄはドライバー等の工具を示し、Ｈはハンマー等の工具を示す。
【０００７】
【発明が解決しようとする課題】
本発明は上記の点に鑑みてなされたものであり、その目的とするところは、南京錠で蓋板を施錠するための部材が容易に取付けられる郵便受けの南京錠の取付構造を提供することを課題とするものである。
【０００８】
【課題を解決するための手段】
上記課題を解決するために本発明に係る郵便受けの南京錠の取付構造は、略箱状をした郵便受け本体１の背面に取出し用開口３を設け、該取出し用開口３に一端部を枢支して回動開閉自在とする蓋板部４を取付け、該蓋板部４外面の他端部側に略コ字状をした棒状の把手５の両端部を取付け、蓋板部４の閉状態で把手５近傍に位置する郵便受け本体１に南京錠７の略Ｕ字状の挿通金具７１が挿通される錠挿通孔６３を穿設した錠固定部材６を取付け、郵便受け本体１に取付けた錠固定部材６の錠挿通孔６３及び把手５と蓋板部４との間に形成される手挿入れ部５３に南京錠７の挿通金具７１を挿通施錠してなる郵便受けの南京錠の取付構造であって、前記錠固定部材６を、取出し用開口３縁に嵌入して郵便受け本体１に取付ける取付部６１と、該取付部６１より外方に向けて連設されて蓋板部４の閉状態で該蓋板部４の下端部を弾性係止する上方に向けて開口した係止部６２とで構成し、前記係止部６２に錠挿通孔６３を穿孔すると共に、取付部６１に該錠固定部材６を郵便受け本体１に取付けるためのネジ等の固着具６５が挿通される固着孔６４を穿孔し、蓋板部４の閉状態で略コ字状をした把手５の両方の連設部５１の蓋板部４外面への取付け端部近傍に位置する郵便受け本体１に上記固着具６５が挿通される固着具挿通孔３２をそれぞれ穿孔し、いずれかの固着具挿通孔３２に錠固定部材６の固着孔６４を連通させ、この連通させた固着具挿通孔３２と固着孔６４とに上記固着具６５を挿通して錠固定部材６を郵便受け本体１に取付けて成ることを特徴とするものである。このような構成とすることで、錠固定部材６を郵便受け本体１の取出し用開口３の下端縁部３ａに取付け、南京錠７の略Ｕ字状をした挿通金具７１を錠固定部材６に形成した錠挿通孔６３と、把手５によって形成される手挿入れ部５３とに挿通して蓋板部４の下端部を取出し用開口３の下端縁部３ａに固定させて施錠することが可能となって、蓋板部４の下端部を取出し用開口３の下端縁部に固定させるために蓋板部４に取付けられた把手５に取付けるアームのような別部材が不要となると共に、前記アームを把手５に取付けるために蓋板部４より把手５を取外したり取付けたりといった煩わしい作業が不要となるものである。
【０００９】
また更に、蓋板部４の下端部を係止部６２で係止して停止させた後で南京錠７の挿通金具７１を錠固定部材６に形成した錠挿通孔６３と手挿入れ部５３とに挿通することができて、この作業がし易くなるものであり、また、南京錠７を取付けない場合でも係止部６２にて蓋板部４の下端部を係止して蓋板部４が風等で勝手に開いたりするのを防止することができるものである。
【００１０】
また更に、錠固定部材６の郵便受け本体１への取付けが容易に行えると共に、南京錠７の略Ｕ字状をした挿通金具７１を把手５の連設部５１に挿通させることができるようになって、把手５に挿通する南京錠７が把手５の掴み部５２と蓋板部４との間にコンパクトに納めることができる。
【００１１】
【発明の実施の形態】
以下、本発明の一実施形態について、図１乃至図７に基づいて説明する。
【００１２】
図１及び図２に示すように、郵便受け本体１は大略箱状をしたもので、前面に投入用開口２を形成すると共に、背面に取出し用開口３が形成してある。このような郵便受けは、前面側の投入用開口２より配達人が新聞や郵便物等の配達物８を本体に投入し、背面側の取出し用開口３より郵便受けの使用者が郵便受け本体１に投入された配達物８を取出すことで使用するものである。
【００１３】
郵便受け本体１の前面は、上半部が前方に突出すると共に突出した前面の上部が上に行く程前方に湾曲しており、この突出した前面を開口して投入用開口２が形成してある。
【００１４】
投入用開口２には、異物が本体内に侵入したりしないように投入口蓋２１が設けてある。投入口蓋２１は、前面視において投入用開口２とほぼ同形同大の板状の部材で、側面視においては上部が上に行く程前方に湾曲しており、同様に湾曲した投入用開口２周縁に沿う形状となっている。投入口蓋２１は、上端部を投入用開口２の上端縁部に枢支し、投入口蓋２１の下端部を回動して投入用開口２を開閉自在に覆うものである。ただし、投入口蓋２１の下端部に前方及び下方に開口する段部２２を形成し、この段部２２の前面側にて投入用開口２の下端縁部２ａと当接するようにしてあるため、投入口蓋２１は下端部が投入用開口２の下端縁部２ａと当接して投入用開口２を閉じている状態から背方（郵便受け本体１内方）にのみ回動する。すなわち、投入口蓋２１は投入用開口２の前方に回動して開いたりしないものである。そして、後述するが、このような投入口蓋２１が回動し過ぎないようにするため、郵便受け本体１内には開制限部材９が設けてある。
【００１５】
郵便受け本体１の背面には前面視略矩形状をした取出し用開口３が形成してあると共に、取出し用開口３には、郵便受け本体１内に投入された配達物８が外に出てしまわないように蓋板部４を設けてある。
【００１６】
蓋板部４は、前面視において取出し用開口３とほぼ同形同大の板状の部材で、上端部を取出し用開口３の上端縁部に枢支し、蓋板部４の下端部を回動端部として取出し用開口３を開閉自在に覆うものである。蓋板部４は、下端部の前面側が取出し用開口３の下端縁部３ａの背面側と当接するようにしてあり、蓋板部４の下端部が取出し用開口３の下端縁部３ａと当接して取出し用開口３を閉じた状態から背方（郵便受け本体１外方）に回動して取出し用開口３を開けた状態とするものである。そして、このような蓋板部４には、回動端部である下端部の外表面に把手５が取付けてある。
【００１７】
把手５は、蓋板部４の外表面の下端部の中央部両側に取付けられて蓋板部４より背方（郵便受け本体１外方）に突出する連設部５１と、両連設部５１の背方側端部を接続する掴み部５２とからなる、断面円形状をした平面視略コ字状の棒状部材である。ただし、把手５の断面形状は円形状に限定されない。この把手５は、蓋板部４の閉状態において、略コ字状の把手５と蓋板部４との間に形成される手挿入れ部５３に手を挿入れ、掴み部５２を手で掴んで蓋板部４の下端部を回動することで取出し用開口３を開閉し易くするものである。そして、本発明においては、この把手５を直接利用して南京錠７で蓋板部４を施錠するものである。
【００１８】
取出し用開口３の下端縁部３ａには、南京錠７を取付けるための錠固定部材６が取付けられる。更に詳述すると、蓋板部４の閉状態において、蓋板部４外面に取付けた把手５の両方の連設部５１の近傍に位置する郵便受け本体１に、上記固着具６５が挿通される固着具挿通孔３２をそれぞれ穿孔し、このいずれかの固着具挿通孔３２に錠固定部材６を取付けるものである。
【００１９】
錠固定部材６は、図６に示すように、下方に開口する側面視略コ字状をした取付部６１と、取付部６１の下端部より背方（郵便受け本体１外方）に突出して蓋板部４の下端部を係止する係止部６２とで主体が構成される。
【００２０】
また、係止部６２の中央部には、南京錠７の略Ｕ字錠をした挿通金具７１が挿通される錠挿通孔６３が穿設してある。錠挿通孔６３は、前後方向に長い長孔として穿孔してあり、横方向幅は南京錠７の挿通金具７１の径よりも大きく形成して、該挿通金具７１が挿通可能となっている。
【００２１】
錠固定部材６の取付部６１は、下方を向く開口に取出し用開口３の下端縁部３ａを嵌め込んで引掛けるものである。このように嵌め込んだ取付部６１を郵便受け本体１に取付けるための固着具６５が挿通される固着孔６４が穿孔してある。
【００２２】
また、取付部６１の下端部より背方に連設される係止部６２は、蓋板部４が取出し用開口３を閉じた状態において、該蓋板部４の下端部を弾性係止が嵌め込まれる上方に向いた開口が形成してある。蓋板部４の下端部が取出し用開口３の下端縁部３ａと当接して取出し用開口３を閉じた状態にする際、係止部６２を下方に撓ませて蓋板部４の下端部を嵌め込み、蓋板部４の下端部を回動して取出し用開口３を開いた状態にする際、係止部６２の背方側端部を指で摘まんで、下方に撓ませて、蓋板部４の下端部の係止を解除するものである。
【００２３】
この錠固定部材６を取出し用開口３の下端縁部３ａに取付けるには、まず、取付部６１を開口を下向きにして上方より取出し用開口３の下端縁部３ａに嵌め込んで引掛ける。次に、取出し用開口３の下端縁部３ａに形成した固着具挿通孔３２と、錠固定部材６の取付部６１に穿孔した固着孔６４とを連通させ、ネジ等の固着具６５をこれらの連通した孔に挿通してナット６６に螺着して固定するのであるが、上述したように、錠固定部材６はいずれかの固着具挿通孔３２に取付けるもので、錠固定部材６を取付けない方の固着具挿通孔３２には、図５（ｂ）に示すような栓部材８１を無理嵌めして固着具挿通孔３２を塞いでおくものである。
【００２４】
郵便受け本体１の取出し用開口３の下端縁部３ａに錠固定部材６を取付けても、錠固定部材６は薄い金属板で形成してあるので、蓋板部４の下端部の前面側が取出し用開口３の下端縁部３ａの背面側と当接して取出し用開口３を閉じた状態は、錠固定部材６を取付けていない場合に蓋板部４で取出し用開口３を閉じた状態とほぼ同じ状態となるものである。
【００２５】
以上のようにして郵便受け本体１に取付けた錠固定部材６と、南京錠７とで蓋板部４が開かないように施錠する方法について説明する。
【００２６】
まず、蓋板部４の下端部を取出し用開口３の下端縁部３ａに当接させ、蓋板部４で取出し用開口３を閉じた状態にする。次に、南京錠７の略Ｕ字状をした挿通金具７１の可動側端部７１ａを南京錠本体７０より離脱させて、この可動側端部７１ａを錠固定部材６の錠挿通孔６３と、把手５によって形成される手挿入れ部５３とに挿通させて、該可動側端部７１ａを再び南京錠本体７０に装着する。このようにして、南京錠７によって蓋板部４の下端部を取出し用開口３の下端縁部３ａに固定させて施錠し、取出し用開口３を閉じた状態にしたままにすることができる。また、このように取出し用開口３を開じた状態から蓋板部４を回動して開く際には、南京錠７の挿通金具７１の可動側端部７１ａを南京錠本体７０より離脱させ、挿通金具７１を錠固定部材６の錠挿通孔６３と手挿入れ部５３とから外して蓋板部４を回動して行う。
【００２７】
以上のような構成とすることで、錠固定部材６を郵便受けの本体１の取出し用開口３の下端縁部３ａに取付け、南京錠７の略Ｕ字状をした挿通金具７１を錠固定部材６に形成した錠挿通孔６３と、把手５によって形成される手挿入れ部５３とに挿通して蓋板部４の下端部を取出し用開口３の下端縁部３ａに固定させて施錠することが可能となって、蓋板部４に取付けた把手５を直接利用して南京錠７で蓋板部４の下端部を取出し用開口３の下端縁部３ａに固定させることで、把手５にアームのような別部材を取付けるための煩わしい作業を行うことなく、確実に取出し用開口３を蓋板部４で閉じて施錠することが可能となる。
【００２８】
また、郵便受け本体１の投入用開口２の上端縁の内方には、開制限部材９が設けてある。郵便受け本体１には、上述したように、前面を開口して投入用開口２を形成すると共に、投入用開口２より異物が郵便受け本体１内に侵入したりしないように投入口蓋２１を設けてある。投入用開口２より配達物８を郵便受け本体１に投入するには、投入用開口２の上下方向長さよりも短い上下方向長さの配達物８を、投入用開口２の前方よりほぼ水平かあるいは、若干斜め下方（投入用開口２の下端より郵便受け本体１下面の取出し用開口３側端部に向かう方向）に向けて投入する。このとき、投入口蓋２１はほぼ水平かあるいは若干斜め下方を向くまで回動する。しかし、投入口蓋２１をこれ以上回動するようにしてあると、使用者以外の者が投入用開口２の前方より手を挿入し、郵便受けの本体１内に投入された郵便物を掴み、投入用開口２より前記郵便物を取出してしまう惧れがある。そこで、開制限部材９を設けるものであり、以下に説明する。
【００２９】
開制限部材９は、図７に示すように、固定縦片９１と、該固定縦片９１の下端部より内方に向けて連設される停止片９２とからなる、側面視略Ｌ字状をした薄い屈曲した鉄製の板状部材である。開制限部材９は、固定縦片９１に固着具挿入隙間９３が形成してあり、この固着具挿入隙間９３に固着具（図示せず）を挿通して固着具を郵便受け本体１に螺着して固定する。このとき、停止片９２は投入口蓋２１の枢支部よりも下方に位置しており、投入口蓋２１は回動してもほぼ水平となった際にこの停止片９２に当接するため、回動を停止させることが可能となる。このようにすることで、使用者以外の者が投入用開口２の前方より手を挿入しようとしても、投入口蓋２１が開制限部材９の停止片９２によって大きくは回動しないため、郵便受け本体１内に手を挿入することができず、郵便受け本体１内に投入された配達物８を掴んで投入用開口２より前記配達物８を取出される惧れがないものである。
【００３０】
【発明の効果】
上記のように本発明の請求項１記載の発明にあっては、略箱状をした郵便受け本体の背面に取出し用開口を設け、該取出し用開口に一端部を枢支して回動開閉自在とする蓋板部を取付け、該蓋板部外面の他端部側に略コ字状をした棒状の把手の両端部を取付け、蓋板部の閉状態で把手近傍に位置する郵便受け本体に南京錠の略Ｕ字状の挿通金具が挿通される錠挿通孔を穿設した錠固定部材を取付け、郵便受け本体に取付けた錠固定部材の錠挿通孔及び把手と蓋板部との間に形成される手挿入れ部に南京錠の挿通金具を挿通施錠してなる郵便受けの南京錠の取付構造であって、前記錠固定部材を、取出し用開口縁に嵌入して郵便受け本体に取付ける取付部と、該取付部より外方に向けて連設されて蓋板部の閉状態で該蓋板部の下端部を弾性係止する上方に向けて開口した係止部とで構成し、前記係止部に錠挿通孔を穿孔すると共に、取付部に該錠固定部材を郵便受け本体に取付けるためのネジ等の固着具が挿通される固着孔を穿孔し、蓋板部の閉状態で略コ字状をした把手の両方の連設部の蓋板部外面への取付け端部近傍に位置する郵便受け本体に上記固着具が挿通される固着具挿通孔をそれぞれ穿孔し、いずれかの固着具挿通孔に錠固定部材の固着孔を連通させ、この連通させた固着具挿通孔と固着孔とに上記固着具を挿通して錠固定部材を郵便受け本体に取付けたので、錠固定部材を郵便受け本体の取出し用開口の下端縁部に取付け、南京錠の略Ｕ字状をした挿通金具を錠固定部材に形成した錠挿通孔と、把手によって形成される手挿入れ部とに挿通して蓋板部の下端部を取出し用開口の下端縁部に固定させることが可能となって、蓋板部の下端部を取出し用開口の下端縁部に固定させるために蓋板部に取付けられた把手に取付けるアームのような別部材が不要となると共に、前記アームを把手に取付けるために蓋板部より把手を取外したり取付けたりといった煩わしい作業が不要となって、郵便受け本体に錠固定部材を取付けるだけの容易な作業のみで確実に取出し用開口を蓋板部で閉じて施錠することが可能となる。
【００３１】
また更に、蓋板部の下端部を係止部で係止して停止させた後で南京錠の挿通金具を錠固定部材に形成した錠挿通孔と手挿入れ部とに挿通することができて、この作業がし易くなるものであり、また、南京錠を取付けない場合でも係止部にて蓋板部の下端部を係止して蓋板部が風等で勝手に開いたりするのを防止することができるものである。
【００３２】
また更に、錠固定部材の郵便受け本体への取付けが容易に行えると共に、南京錠の略Ｕ字状をした挿通金具を把手の連設部に挿通させることができるようになって、把手に挿通する南京錠が把手の掴み部と蓋板部との間にコンパクトに納めることができる。
【図面の簡単な説明】
【図１】本発明の郵便受けの南京錠の取付構造の一実施形態の一部省略斜視図である。
【図２】同上の実施形態の側断面図である。
【図３】同上の実施形態における郵便受けで、（ａ）は一部省略前面図であり、（ｂ）は一部省略平面図であり、（ｃ）は一部省略背面図であり、（ｄ）は（ｃ）の一部切欠き背面図である。
【図４】同上の実施形態において、錠固定部材の郵便受け本体への取付けを説明する斜視図である。
【図５】同上の実施形態において、（ａ）は南京錠を把手及び錠固定部材を挿通して施錠した状態を説明する側断面図であり、（ｂ）は栓部材を郵便受け本体の錠固定部材の取付け部に取付けた状態を説明する側断面図であり、（ｃ）は錠固定部材の郵便受け本体への取付状態を説明する側断面図である。
【図６】同上の実施形態における錠固定部材で、（ａ）は前面図であり、（ｂ）は平面図であり、（ｃ）は側面図であり、（ｄ）は下面図であり、（ｅ）は背面図である。
【図７】同上の実施形態における開制限部材の説明図で、（ａ）は図２の一部拡大図であり、（ｂ）は開制限部材の側面図であり、（ｃ）は開制限部材の正面図である。
【図８】従来例においてアーム及び錠固定部材の郵便受け本体への取付けを説明する分解斜視図である。
【符号の説明】
１  郵便受け本体
３  取出し用開口
４  蓋板部
５  把手
５３  手挿入れ部
６  錠固定部材
６３  錠挿通孔
７  南京錠
７１  挿通金具
【図１】
0003855676.tif 000002
【図２】
0003855676.tif 000003
【図３】
0003855676.tif 000004
【図４】
0003855676.tif 000005
【図５】
0003855676.tif 000006
【図６】
0003855676.tif 000007
【図７】
0003855676.tif 000008
【図８】
0003855676.tif 000009